(57)【要約】【課題】部品切れのトレイを効率良く交換することができる部品供給装置、部品実装装置、部品供給方法および実装基板の製造方法を提供することを目的とする。【解決手段】部品供給装置（トレイフィーダ）は、部品が格納されたトレイを保持するパレットを各々収納する複数のパレット収納部と、複数のパレット収納部とは別の領域に設けられ、部品切れとなったトレイを保持する部品切れのパレットが載置され、さらにこのパレットを外に取り出すことが可能なパレット載置部とを備えている。そして、部品供給装置における部品供給方法は、部品切れのパレットをパレット載置部に移動させる部品切れパレット移動工程（ＳＴ１１）と、パレット載置部に移動された部品切れのパレットが保持するトレイが交換されることなく他の部品切れのパレットがパレット載置部に移動可能な状態となったことを認識するスキップ認識工程（ＳＴ１３）を含んでいる。【選択図】図６
2018133401.tif 000002
【特許請求の範囲】
【請求項１】
部品が格納されたトレイを保持するパレットを各々収納する複数のパレット収納部と、
前記複数のパレット収納部とは別の領域に設けられ、部品切れとなったトレイを保持する部品切れのパレットが載置され、さらにこのパレットを外に取り出すことが可能なパレット載置部と、
パレットを前記複数のパレット収納部に出し入れし、またパレットを前記パレット載置部又は部品実装装置によって部品が取り出される部品取り出し位置に移動させるパレット移動部と、
前記パレット載置部に移動された前記部品切れのパレットが保持する前記トレイが交換されることなく他の部品切れのパレットが前記パレット載置部に移動可能な状態となったことを認識するスキップ認識手段と、を備えることを特徴とする、部品供給装置。
【請求項２】
表示部と、
前記表示部に所定の情報を表示させる表示処理部と、をさらに備え、
前記表示処理部は、前記パレット載置部より取り出されたパレットであって、前記パレット載置部に再投入される前に他の部品切れのパレットが前記パレット載置部に移動可能な状態となったスキップパレットを特定する情報を前記表示部に表示させることを特徴とする、請求項１に記載の部品供給装置。
【請求項３】
前記表示処理部は、前記スキップパレットを前記パレット載置部に再投入される優先順位により並び替えて前記表示部に表示させることを特徴とする、請求項２に記載の部品供給装置。
【請求項４】
前記パレット載置部に再投入されるパレットに保持されたトレイに格納された部品を特定する部品特定手段と、
前記部品特定部によって特定された部品の情報より、前記再投入されるパレットを特定する再投入パレット特定部と、をさらに備えることを特徴とする、請求項１から３のいずれかに記載の部品供給装置。
【請求項５】
前記表示処理部は、前記再投入パレット特定部によって特定された再投入されるパレットの情報に基づいて、前記表示部に表示させる前記部品切れのパレットを特定する情報を更新することを特徴とする、請求項４に記載の部品供給装置。
【請求項６】
前記スキップ認識手段には、前記パレット載置部に移動された前記部品切れのパレットが保持する前記トレイを交換することなく他の部品切れのパレットを前記パレット載置部に移動可能な状態とする場合に作業者が操作するボタンが含まれることを特徴とする、請求項１から５のいずれかに記載の部品供給装置。
【請求項７】
前記スキップ認識手段には、前記パレット載置部におけるパレットの有無を検出するパレット検出センサが含まれることを特徴とする、請求項１から６のいずれかに記載の部品供給装置。
【請求項８】
部品が格納されたトレイを保持するパレットを複数のパレット収納部に各々収納し、前記収納されたパレットを部品取り出し位置に移動させて、実装ヘッドによって前記パレットが保持するトレイより前記部品をピックアップして基板に実装する部品実装装置であって、
前記複数のパレット収納部とは別の領域に設けられ、部品切れとなったトレイを保持する部品切れのパレットが載置され、さらにこのパレットを外に取り出すことが可能なパレット載置部と、
パレットを前記複数のパレット収納部に出し入れし、またパレットを前記パレット載置部又は前記部品取り出し位置に移動させるパレット移動部と、
前記パレット載置部に移動された前記部品切れのパレットが保持する前記トレイが交換されることなく他の部品切れのパレットが前記パレット載置部に移動可能な状態となったことを認識するスキップ認識手段と、を備えることを特徴とする、部品実装装置。
【請求項９】
表示部と、
前記表示部に所定の情報を表示させる表示処理部と、をさらに備え、
前記表示処理部は、前記パレット載置部より取り出されたパレットであって、前記パレット載置部に再投入される前に他の部品切れのパレットが前記パレット載置部に移動可能な状態となったスキップパレットを特定する情報を表示部に表示させることを特徴とする、請求項８に記載の部品実装装置。
【請求項１０】
前記パレット載置部に再投入されるパレットに保持されたトレイに格納された部品を特定する部品特定手段と、
前記部品特定部によって特定された部品の情報より、前記再投入されるパレットを特定する再投入パレット特定部と、をさらに備えることを特徴とする、請求項８または９に記載の部品実装装置。
【請求項１１】
前記スキップ認識手段には、前記パレット載置部に移動された前記部品切れのパレットが保持する前記トレイを交換することなく他の部品切れのパレットを前記パレット載置部に移動可能な状態とする場合に作業者が操作するボタンが含まれることを特徴とする、請求項８から１０のいずれかに記載の部品実装装置。
【請求項１２】
部品が格納されたトレイを保持するパレットを各々収納する複数のパレット収納部と、前記複数のパレット収納部とは別の領域に設けられ、部品切れとなったトレイを保持する部品切れのパレットが載置され、さらにこのパレットを外に取り出すことが可能なパレット載置部と、を備える部品供給装置における部品供給方法であって、
前記部品切れのパレットを前記パレット載置部に移動させる部品切れパレット移動工程と、
前記パレット載置部に移動された前記部品切れのパレットが保持する前記トレイが交換されることなく他の部品切れのパレットが前記パレット載置部に移動可能な状態となったことを認識するスキップ認識工程と、を含むことを特徴とする、部品供給方法。
【請求項１３】
前記パレット載置部より取り出されたパレットであって、前記パレット載置部に再投入される前に他の部品切れのパレットが前記パレット載置部に移動可能な状態となったスキップパレットを特定する情報を表示部に表示するスキップパレット表示工程をさらに含むことを特徴とする、請求項１２に記載の部品供給方法。
【請求項１４】
前記スキップパレット表示工程において、前記スキップパレットが前記パレット載置部に再投入される優先順位により並び替えられて前記表示部に表示されることを特徴とする、請求項１３に記載の部品供給方法。
【請求項１５】
前記パレット載置部に再投入されるパレットに保持されたトレイに格納された部品を特定する部品特定工程と、
前記部品特定工程において特定された部品の情報より、前記再投入されるパレットを特定する再投入パレット特定工程と、
前記再投入パレット特定工程において特定された再投入されるパレットの情報に基づいて、前記表示部に表示される前記部品切れのパレットを特定する情報が更新されるスキップパレット更新工程と、をさらに含むことを特徴とする、請求項１２から１４のいずれかに記載の部品供給方法。
【請求項１６】
前記スキップ認識工程において、ボタンが操作されると、前記パレット載置部に移動された前記部品切れのパレットが保持する前記トレイが交換されることなく他の部品切れのパレットが前記パレット載置部に移動可能な状態となったと認識されることを特徴とする、請求項１２から１５のいずれかに記載の部品供給方法。
【請求項１７】
パレットが保持するトレイが格納する部品を基板に実装する実装基板の製造方法であって、
パレットを各々収納する複数のパレット収納部に格納されたパレットを部品取り出し位置に移動させる部品取り出し位置移動工程と、
実装ヘッドによって前記部品取り出し位置に移動されたパレットが保持するトレイより部品を取り出す部品取出し工程と、
前記実装ヘッドが取り出した部品を基板に実装する部品実装工程と、
部品切れとなったトレイを保持する部品切れのパレットを、パレットを各々収納する複数のパレット収納部とは別の領域に設けられて前記部品切れのパレットが載置され、さらにこのパレットを外に取り出すことが可能なパレット載置部に移動させる部品切れパレット移動工程と、
前記パレット載置部に移動された前記部品切れのパレットが保持する前記トレイが交換されることなく他の部品切れのパレットが前記パレット載置部に移動可能な状態となったことを認識するスキップ認識工程と、を含むことを特徴とする、実装基板の製造方法。
【請求項１８】
前記パレット載置部より取り出されたが、前記パレット載置部に再投入される前に他の部品切れのパレットが前記パレット載置部に移動可能な状態となったスキップパレットを特定する情報を表示部に表示するスキップパレット表示工程をさらに含むことを特徴とする、請求項１７に記載の実装基板の製造方法。
【請求項１９】
前記パレット載置部に再投入されるパレットに保持されたトレイに格納された部品を特定する部品特定工程と、
前記部品特定工程において特定された部品の情報より、前記再投入されるパレットを特定する再投入パレット特定工程と、
前記再投入パレット特定工程において特定された再投入されるパレットの情報に基づいて、前記表示部に表示される前記部品切れのパレットを特定する情報が更新されるスキップパレット更新工程と、をさらに含むことを特徴とする、請求項１８に記載の実装基板の製造方法。
【請求項２０】
前記スキップ認識工程において、ボタンが操作されると、前記パレット載置部に移動された前記部品切れのパレットが保持する前記トレイが交換されることなく他の部品切れのパレットが前記パレット載置部に移動可能な状態となったと認識されることを特徴とする、請求項１７から１９のいずれかに記載の実装基板の製造方法。
【発明の詳細な説明】
【技術分野】
【０００１】
本発明は、トレイに格納された部品を部品実装装置に供給する部品供給装置、部品供給装置を備える部品実装装置、部品供給方法および実装基板の製造方法に関するものである。
【背景技術】
【０００２】
部品実装装置において、半導体チップなどの部品を供給するパーツフィーダの一種としてトレイフィーダが知られている。このトレイフィーダは、部品を格納したトレイを保持するパレットを、上下多段に並設された複数のパレット収納部の各々に収納する構成となっている。部品実装作業において、これらのパレットは実装順序に応じて引き出されて部品取出し位置へ移動される。パレットが保持するトレイに部品切れが生じた場合には、その部品切れのパレットをパレット収納部とは別の領域として設けられたパレット載置部に移動させて、部品切れのトレイを新たなトレイと交換するトレイ交換作業が行われる（例えば特許文献１参照）。
【０００３】
特許文献１に記載のトレイフィーダは、パレットに形成された識別マークを識別する読取センサをパレット載置部に備えており、トレイ交換作業後のパレットがパレット載置部に載置されると、読取センサが識別マークを識別して、所定のパレット収納部に戻し入れている。
【先行技術文献】
【特許文献】
【０００４】
【特許文献１】特開２０１２−１１４３２４号公報
【発明の概要】
【発明が解決しようとする課題】
【０００５】
しかしながら、特許文献１を含む従来技術では、部品切れのパレットをトレイ交換のためにパレット載置部に移動することに伴う次の問題があった。すなわち、同種の部品を格納するトレイを保持するパレットが複数ある場合にも、そのうちの一のパレットが保持するトレイが部品切れになるとそのパレットをパレット載置部に移動させたうえで、他のパレットからの部品供給が継続される。しかしながら、パレット載置部に移動された部品切れのパレットのトレイ交換作業が終了する前に他のパレットで部品切れが発生すると、他の部品切れのパレットをパレット載置部に移動させることができずにトレイフィーダからの部品供給が停止してしまうという課題があった。
【０００６】
そこで本発明は、部品切れのトレイを効率良く交換することができる部品供給装置、部品実装装置、部品供給方法および実装基板の製造方法を提供することを目的とする。
【課題を解決するための手段】
【０００７】
本発明の部品供給装置は、部品が格納されたトレイを保持するパレットを各々収納する複数のパレット収納部と、前記複数のパレット収納部とは別の領域に設けられ、部品切れとなったトレイを保持する部品切れのパレットが載置され、さらにこのパレットを外に取り出すことが可能なパレット載置部と、パレットを前記複数のパレット収納部に出し入れし、またパレットを前記パレット載置部又は部品実装装置によって部品が取り出される部品取り出し位置に移動させるパレット移動部と、前記パレット載置部に移動された前記部品切れのパレットが保持する前記トレイが交換されることなく他の部品切れのパレットが前記パレット載置部に移動可能な状態となったことを認識するスキップ認識手段と、を備えることを特徴とする。
【０００８】
本発明の部品実装装置は、部品が格納されたトレイを保持するパレットを複数のパレット収納部に各々収納し、前記収納されたパレットを部品取り出し位置に移動させて、実装ヘッドによって前記パレットが保持するトレイより前記部品をピックアップして基板に実装する部品実装装置であって、前記複数のパレット収納部とは別の領域に設けられ、部品切れとなったトレイを保持する部品切れのパレットが載置され、さらにこのパレットを外に取り出すことが可能なパレット載置部と、パレットを前記複数のパレット収納部に出し入れし、またパレットを前記パレット載置部又は前記部品取り出し位置に移動させるパレット移動部と、前記パレット載置部に移動された前記部品切れのパレットが保持する前記トレイが交換されることなく他の部品切れのパレットが前記パレット載置部に移動可能な状態となったことを認識するスキップ認識手段と、を備えることを特徴とする。
【０００９】
本発明の部品供給方法は、部品が格納されたトレイを保持するパレットを各々収納する複数のパレット収納部と、前記複数のパレット収納部とは別の領域に設けられ、部品切れとなったトレイを保持する部品切れのパレットが載置され、さらにこのパレットを外に取り出すことが可能なパレット載置部と、を備える部品供給装置における部品供給方法であって、前記部品切れのパレットを前記パレット載置部に移動させる部品切れパレット移動工程と、前記パレット載置部に移動された前記部品切れのパレットが保持する前記トレイが交換されることなく他の部品切れのパレットが前記パレット載置部に移動可能な状態となったことを認識するスキップ認識工程と、を含むことを特徴とする。
【００１０】
本発明の実装基板の製造方法は、パレットが保持するトレイが格納する部品を基板に実装する実装基板の製造方法であって、パレットを各々収納する複数のパレット収納部に格納されたパレットを部品取り出し位置に移動させる部品取り出し位置移動工程と、実装ヘッドによって前記部品取り出し位置に移動されたパレットが保持するトレイより部品を取り出す部品取出し工程と、前記実装ヘッドが取り出した部品を基板に実装する部品実装工程と、部品切れとなったトレイを保持する部品切れのパレットを、パレットを各々収納する複数のパレット収納部とは別の領域に設けられて前記部品切れのパレットが載置され、さらにこのパレットを外に取り出すことが可能なパレット載置部に移動させる部品切れパレット移動工程と、前記パレット載置部に移動された前記部品切れのパレットが保持する前記トレイが交換されることなく他の部品切れのパレットが前記パレット載置部に移動可能な状態となったことを認識するスキップ認識工程と、を含むことを特徴とする。
【発明の効果】
【００１１】
本発明によれば、部品切れのトレイを効率良く交換することができる。
【図面の簡単な説明】
【００１２】
【図１】本発明の一実施の形態の部品実装装置の平面図
【図２】本発明の一実施の形態の部品実装装置の部分断面図
【図３】本発明の一実施の形態の部品実装装置に用いられるトレイフィーダの構成説明図
【図４】本発明の一実施の形態の部品実装装置の制御系の構成を示すブロック図
【図５】本発明の一実施の形態の部品実装装置における実装基板の製造方法を示すフロー図
【図６】本発明の一実施の形態の部品実装装置における部品切れパレット処理を示すフロー図
【図７】（ａ）（ｂ）（ｃ）（ｄ）本発明の一実施の形態の部品実装装置における部品切れパレット処理を示す工程説明図
【図８】（ａ）（ｂ）（ｃ）（ｄ）本発明の一実施の形態のトレイフィーダが備えるタッチパネルに表示されたスキップパレットの情報の一例を示す説明図
【図９】（ａ）（ｂ）（ｃ）（ｄ）本発明の一実施の形態の部品実装装置における部品切れパレット再投入処理を示す工程説明図
【発明を実施するための形態】
【００１３】
以下に図面を用いて、本発明の一実施の形態を詳細に説明する。以下で述べる構成、形状等は説明のための例示であって、部品実装装置、部品供給装置（トレイフィーダ）の仕様に応じ、適宜変更が可能である。以下では、全ての図面において対応する要素には同一符号を付し、重複する説明を省略する。図１、及び後述する一部では、水平面内で互いに直交する２軸方向として、基板搬送方向のＸ方向（図１における左右方向）、基板搬送方向に直交するＹ方向（図１における上下方向）が示される。図２、及び後述する一部では、水平面と直交する高さ方向としてＺ方向（図２における上下方向）が示される。Ｚ方向は、部品実装装置が水平面上に設置された場合の上下方向または直交方向である。
【００１４】
まず図１，図２を参照して、部品実装装置１の構成について説明する。図１において、基台１ａの上面には、基板搬送機構２がＸ方向に配設されている。基板搬送機構２は、部品実装対象となる基板３を搬送して、以下に説明する部品実装機構による作業位置に位置決め保持する。基板搬送機構２の両側方には、基板３に実装される部品を供給する部品供給部４Ａ、４Ｂが配設されている。
【００１５】
部品供給部４Ａにはトレイフィーダ５が、部品供給部４Ｂには複数のテープフィーダ６が、それぞれ着脱自在に配置されている。トレイフィーダ５は、部品Ｄが格子配列で格納されたトレイ７を、部品実装機構による部品取り出し位置Ｐ（図２参照）に移動させることにより、部品Ｄを実装ヘッドに供給する。トレイフィーダ５には、トレイフィーダ５が部品実装装置１に装着された状態で作業者が視認、操作が可能な位置に、後述するタッチパネルＴ、スキップボタンＱが配設されている。テープフィーダ６は、部品Ｄを保持したキャリアテープをピッチ送りすることにより、部品Ｄを部品実装機構に供給する。
【００１６】
基台１ａのＸ方向の一端部には、リニアモータ駆動機構を備えたＹ軸ビーム８がＹ方向に配設されている。Ｙ軸ビーム８には、同様にリニアモータ駆動機構を備えた２基のＸ軸ビーム９Ａ，９Ｂが、それぞれ部品供給部４Ａ，４Ｂに対応してＹ方向に移動自在に結合されている。Ｘ軸ビーム９Ａ，９Ｂには、それぞれ実装ヘッド１０Ａ，１０Ｂが、リニア駆動機構によってＸ方向に移動自在に装着されている。実装ヘッド１０Ａ，１０Ｂはいずれも複数の単位移載ヘッド１１を備えている。それぞれの単位移載ヘッド１１の下端部には、吸着ノズル１１ａ（図２参照）が交換自在に装着されている。
【００１７】
Ｙ軸ビーム８およびＸ軸ビーム９Ａを駆動することにより、実装ヘッド１０Ａは部品供給部４Ａと基板搬送機構２に保持された基板３との間で水平移動し、トレイ７に格納された部品Ｄを吸着ノズル１１ａによって吸着保持してピックアップし、基板３の部品実装点に実装する。Ｙ軸ビーム８およびＸ軸ビーム９Ｂを駆動することにより、実装ヘッド１０Ｂは部品供給部４Ｂと基板３との間で水平移動し、テープフィーダ６によってピッチ送りされたキャリアテープから部品Ｄを吸着ノズル１１ａによって吸着保持して取り出し、基板３の部品実装点に実装する。したがってＹ軸ビーム８、Ｘ軸ビーム９Ａ，９Ｂ、実装ヘッド１０Ａ，１０Ｂは、単位移載ヘッド１１の吸着ノズル１１ａによって部品Ｄを吸着保持して基板３に実装する部品実装機構１２（図４参照）を構成する。
【００１８】
図１において、実装ヘッド１０Ａ，１０Ｂが取り付けられたプレート９ａには、基板認識カメラ１３が取り付けられている。基板認識カメラ１３は、実装ヘッド１０Ａ，１０Ｂと一体的に移動する。実装ヘッド１０Ａ，１０Ｂが移動することにより、基板認識カメラ１３は基板搬送機構２に位置決めされた基板３の上方に移動し、基板３に設けられた基板マーク（図示せず）を撮像して基板３の位置を認識する。部品供給部４Ａ，４Ｂと基板搬送機構２との間には、部品認識カメラ１４が配設されている。部品Ｄを保持した実装ヘッド１０Ａ，１０Ｂが部品認識カメラ１４の上方を移動することにより部品認識カメラ１４はこれらの部品Ｄを撮像する。この撮像結果を認識処理することにより、実装ヘッド１０Ａ，１０Ｂに保持された状態における部品Ｄの識別や位置認識が行われる。
【００１９】
図２は、部品供給部４Ａにトレイフィーダ５を装着した状態を示している。トレイフィーダ５は、車輪２１によって作業床上で移動自在なベース部２０を備えている。ベース部２０の上面において、作業者ＯＰによる操作側にはフィーダ本体部２２が配置されている。フィーダ本体部２２には、複数のパレット収納部２３が上下多段に設けられている。各パレット収納部２３には、１枚または２枚以上のトレイ７を上面に保持するパレット２４が収納される。すなわち、複数のパレット収納部２３には、部品Ｄが格納されたトレイ７を保持するパレット２４が各々収納される。
【００２０】
フィーダ本体部２２の前面側（部品実装装置１側）には、パレット保持部２５およびパレット保持部２５を昇降（矢印ａ）させる保持部昇降機構２６が設けられている。保持部昇降機構２６は、パレット保持部２５を昇降させて各パレット収納部２３の高さ位置に位置させる。パレット保持部２５は、パレット収納部２３の高さ位置に位置する状態で、パレット収納部２３からパレット２４を引き出して保持し、また、保持するパレット２４をパレット収納部２３に収納させる。
【００２１】
また、保持部昇降機構２６は、パレット２４を保持するパレット保持部２５を昇降させて、実装ヘッド１０Ａによってトレイ７に格納された部品Ｄが取り出される部品取り出し位置Ｐに位置させる。部品実装作業では、この状態のトレイ７から実装ヘッド１０Ａが吸着ノズル１１ａによって部品Ｄをピックアップし、基板搬送機構２の作業位置に位置決め保持された基板３に移動（矢印ｂ）して部品Ｄを基板３に実装する。
【００２２】
図２において、フィーダ本体部２２においてパレット収納部２３とは別の領域（ここでは、最上段のパレット収納部２３の上方）には、パレット載置部２７が設けられている。パレット載置部２７には、部品実装作業の実行過程において部品切れとなったトレイ７を保持するパレット２４がトレイ交換のために載置される。パレット載置部２７の上面側は、フィーダ本体部２２の天井部によって覆われている。フィーダ本体部２２の天井部の手前側（作業者ＯＰによる操作側）には、パレット載置部２７にパレット２４を搬入・搬出するための開閉カバー２８が開閉自在に設けられている。部品実装作業の実行中は、開閉カバー２８は閉じた状態にある。
【００２３】
部品実装作業の実行過程においてパレット２４に保持されたトレイ７を交換する必要が生じた場合には、当該パレット２４を保持するパレット保持部２５は保持部昇降機構２６によってパレット載置部２７の高さ位置に移動して、当該パレット２４をパレット載置部２７に移動させる。そして作業者ＯＰは、開閉カバー２８を開放してパレット載置部２７からパレット２４を取り出して、部品切れが生じた空のトレイ７を他のトレイ７と交換するトレイ交換を行う。トレイ交換後のパレット２４は開閉カバー２８を介してパレット載置部２７に再び載置され、パレット保持部２５および保持部昇降機構２６によって、所定のパレット収納部２３または部品取り出し位置Ｐに移動される。
【００２４】
すなわち、パレット載置部２７は、複数のパレット収納部２３とは別の領域に設けられ、部品切れとなったトレイ７を保持する部品切れのパレット２４が載置され、さらにこのパレット２４を外に取り出すことが可能な構成となっている。そして、パレット保持部２５および保持部昇降機構２６は、パレット２４を複数のパレット収納部２３に出し入れし、またパレット２４をパレット載置部２７又は部品実装装置１によって部品Ｄが取り出される部品取り出し位置Ｐに移動させるパレット移動部２９（図４参照）となる。
【００２５】
図２において、部品実装装置１は、本体制御装置１５を備えている。トレイフィーダ５は、フィーダ制御部３０を備えている。トレイフィーダ５が部品実装装置１に装着されると、フィーダ制御部３０は本体制御装置１５と電気的に接続される（図４参照）。部品実装装置１による部品実装作業は、本体制御装置１５によって制御される。トレイフィーダ５におけるパレット２４の移動動作は、フィーダ制御部３０によって制御される。
【００２６】
次に図３を参照して、トレイフィーダ５の詳細構成および機能について説明する。フィーダ本体部２２内に多段に設けられたパレット収納部２３は、それぞれが収納アドレス（ここでは、最上段より下方に向かって、（１）（２）（３）・・・の順序）に対応している。この収納アドレスを特定することにより、フィーダ本体部２２においてトレイ７を保持した個々のパレット２４が収納される収納位置を特定できるようになっている。
【００２７】
パレット載置部２７に設けられた開閉カバー２８は、カバー保持ヒンジ２８ａ廻りに回動（矢印ｃ）自在となっている。フィーダ本体部２２の上部には、タッチパネルＴ、スキップボタンＱが配設されている。タッチパネルＴは、液晶パネル、有機ＥＬパネルなどの表示部と、タッチパッドなどの入力部が組み合わされ、トレイフィーダ５の各種情報を表示し、操作コマンドや各種データを入力する機能を有している。スキップボタンＱは、パレット載置部２７に移動された部品切れのパレット２４が保持するトレイ７を交換することなく他の部品切れのパレット２４をパレット載置部２７に移動可能な状態とする（パレット載置部２７に移動された部品切れのパレット２４の再投入をスキップする）場合に作業者ＯＰが操作するボタンである。
【００２８】
パレット載置部２７の内部には、パレット載置部２７におけるパレット２４の有無を検出する遮光センサなどのパレット検出センサＳが配設されている。フィーダ本体部２２の作業者ＯＰによる操作側には、部品Ｄを格納したトレイ７を包装している包装袋、または、トレイ７に付された、トレイ７に格納された部品Ｄを特定する情報を含むバーコードや２次元コードなどの部品識別マーク（図示省略）を読み取るスキャナＲが配設されている。
【００２９】
タッチパネルＴ、スキップボタンＱ、パレット検出センサＳ、スキャナＲは、それぞれフィーダ制御部３０に接続されている。スキップボタンＱの操作信号（スキップ報告信号）、パレット検出センサＳの検出信号、スキャナＲの読み取り結果は、それぞれフィーダ制御部３０に送信される。なお、スキップボタンＱをタッチパネルＴに表示させ、タッチパネルＴに表示されたスキップボタンＱを作業者ＯＰが操作することで、スキップ報告信号をフィーダ制御部３０に送信するようにしてもよい。
【００３０】
次に図３を参照して、保持部昇降機構２６の構成を説明する。ベース部２０の上面に立設された縦フレーム３１には、ナット部材３２に螺合する送りねじ３３を昇降駆動モータ３４によって回転駆動する構成の保持部昇降機構２６が設けられている。ナット部材３２には、パレット保持部２５を構成する水平なパレット保持プレート３５が結合されている。パレット保持部２５は、パレット保持プレート３５の下面側に配設されたスライド駆動モータ３６を駆動することにより、パレット保持プレート３５の上面に沿ってパレット２４をスライド移動（矢印ｄ）させる。
【００３１】
パレット保持部２５は、昇降駆動モータ３４を駆動することにより昇降する。このとき、個々のパレット収納部２３に付された収納アドレスを指定することにより、パレット保持部２５をこの収納アドレスに対応したパレット収納部２３の高さ位置に位置させることができる。また、部品取り出し位置Ｐまたはパレット載置部２７を指定することにより、パレット保持部２５を部品取り出し位置Ｐまたはパレット載置部２７の高さ位置に位置させることができる。
【００３２】
次に図４を参照して、部品実装装置１の制御系の構成について説明する。部品実装装置１は、本体制御装置１５、記憶部４０、機構駆動部４１、基板認識カメラ１３、部品認識カメラ１４、入力部４２、表示部４３を備えている。また、部品実装装置１には、トレイフィーダ５、テープフィーダ６が装着されている。トレイフィーダ５が部品実装装置１に装着された状態で、トレイフィーダ５が備えるフィーダ制御部３０は、本体制御装置１５と電気的に接続される。
【００３３】
本体制御装置１５は、記憶部４０に記憶された各種のデータを参照して、以下の各部を制御することにより、部品実装装置１による部品実装作業を実行させる。記憶部４０には、実装データ４０ａ、パレット情報データ４０ｂなどが記憶されている。実装データ４０ａは、基板３を対象とする部品実装作業を実行するためのデータであり、基板３に実装される部品種を示す部品データ、基板３おける部品実装点の位置データ、実装順序を示すシーケンスデータなどが含まれる。本体制御装置１５は、実装データ４０ａに基づいて、トレイフィーダ５が供給する部品Ｄの部品種を指示する供給指示を部品実装動作毎にトレイフィーダ５に対して送信する。
【００３４】
図４において、パレット情報データ４０ｂには、トレイフィーダ５にあるパレット２４またはトレイ交換作業のためにパレット載置部２７から取り出されているパレット２４の情報が含まれる。パレット情報データ４０ｂには、トレイ７に格納された部品Ｄの情報（部品種、部品ＩＤ、部品残数など）、そのトレイ７を保持するパレット２４、そのパレット２４の所在（パレット収納部２３の収納アドレス、部品取り出し位置Ｐ、パレット載置部２７、トレイフィーダ５の外など）などの情報が、パレット２４を特定する情報に紐付けられて記憶されている。
【００３５】
本体制御装置１５は、実装データ４０ａとパレット情報データ４０ｂを参照することにより、トレイフィーダ５が供給する部品Ｄを格納するトレイ７を保持するパレット２４を特定することができる。機構駆動部４１は、本体制御装置１５に制御されて、基板搬送機構２、部品実装機構１２を駆動する。これにより、部品実装装置１によって複数の基板３を対象として連続的に部品実装作業が実行される。入力部４２は、キーボード、タッチパネル、マウスなどの入力装置であり、操作コマンドやデータ入力時などに用いられる。表示部４３は液晶パネルなどの表示装置であり、入力部４２による操作のための操作画面などの各種情報を表示する。
【００３６】
図４において、トレイフィーダ５は、フィーダ制御部３０、フィーダ記憶部５０、移動先決定部５１、表示処理部５２、スキップ判断部５３、部品照合部５４、再投入パレット特定部５５、パレット移動部２９、スキップボタンＱ、スキャナＲ、パレット検出センサＳ、タッチパネルＴを備えている。フィーダ制御部３０は、本体制御装置１５より送信された供給指示と、フィーダ記憶部５０に記憶された各種のデータを参照して、以下の各部を制御することにより部品供給作業を実行させる。
【００３７】
また、フィーダ制御部３０は、供給指示を受け付け可能な状態（指示待ち状態）か、トレイ交換作業行中などで供給指示の受け付けを中断している状態（受付中断状態）か、などのトレイフィーダ５の状態を本体制御装置１５に送信する。また、フィーダ制御部３０は、本体制御装置１５より供給指示を受け取った後、指示された部品Ｄを格納するトレイ７を保持するパレット２４を部品取り出し位置Ｐに位置させて部品Ｄを供給可能な状態となると、準備完了報告を本体制御装置１５に送信する。
【００３８】
フィーダ記憶部５０には、パレット情報データ５０ａなどが記憶されている。パレット情報データ５０ａは、部品実装装置１が備える記憶部４０に記憶されるパレット情報データ４０ｂと同等の情報である。フィーダ記憶部５０に記憶されるパレット情報データ５０ａと記憶部４０に記憶されるパレット情報データ４０ｂは、フィーダ制御部３０を介して相互に送信されて適宜更新される。フィーダ制御部３０は、パレット情報データ５０ａに基づいて、本体制御装置１５から指示された部品Ｄを格納するトレイ７を保持するパレット２４を特定し、さらに、パレット収納部２３の収納アドレスなどの当該パレット２４の所在を特定する。
【００３９】
移動先決定部５１は、本体制御装置１５からの供給指示、パレット情報データ５０ａに基づいて、パレット保持部２５が保持するパレット２４の移動先、または、パレット保持部２５に保持させるパレット２４を決定する。フィーダ制御部３０は、後述するパレット移動動作を実行させる。すなわち、フィーダ制御部３０は、移動先決定部５１が決定した移動先に基づいてパレット２４を移動させるようにパレット移動部２９を制御する制御部となる。
【００４０】
表示処理部５２は、パレット情報データ５０ａに基づいて、パレット載置部２７より取り出されたパレット２４であって、パレット載置部２７に再投入される前に他の部品切れのパレット２４がパレット載置部２７に移動可能な状態となったスキップパレットを特定する情報などの画面表示（図８参照）を作成して、タッチパネルＴに表示させる表示処理を実行させる。すなわち、タッチパネルＴは、表示処理部５２によってスキップパレットを特定する情報など所定の情報を表示する表示部となる。また、表示処理部５２は、タッチパネルＴ（表示部）にスキップパレットを特定する情報を表示させる際に、スキップパレットをパレット載置部２７に再投入される優先順位により並び替えて表示させる。
【００４１】
また、タッチパネルＴにスキップパレットを特定する情報が表示されている状態で作業者ＯＰが後述する所定の操作を行うことで、タッチパネルＴよりパレット載置部２７に再投入するスキップパレット（トレイ交換作業がされた部品切れのパレット２４）を選択入力することができる。すなわち、タッチパネルＴは、タッチパネルＴ（表示部）に表示されたスキップパレット（部品切れのパレット２４）の中から、パレット載置部２７に再投入されるスキップパレット（部品切れのパレット２４）が選択入力される入力部となる。
【００４２】
スキップ判断部５３は、パレット載置部２７から部品切れのパレット２４が取り出されてからトレイ７が交換されてパレット載置部２７に再投入されるまでの間に、作業者ＯＰがスキップボタンＱを操作することで送信されるスキップ報告信号が受信されると、その部品切れのパレット２４は再投入がスキップされたと判断する。すなわち、スキップボタンＱおよびスキップ判断部５３は、パレット載置部２７に移動された部品切れのパレット２４が保持するトレイ７が交換されることなく他の部品切れのパレット２４がパレット載置部２７に移動可能な状態となったことを認識するスキップ認識手段となる。つまり、スキップ認識手段には、スキップボタンＱが含まれる。
【００４３】
また、スキップ判断部５３は、作業者ＯＰがパレット載置部２７から部品切れのパレット２４を取り出す前にスキップボタンＱを操作することで送信されるスキップ報告信号が受信され、その後、パレット検出センサＳがパレット載置部２７からパレット２４が取り出されたことを検出すると（検出信号が有から無に変化すると）、その部品切れのパレット２４の再投入がスキップされたと判断するようにしてもよい。すなわち、スキップ認識手段には、パレット検出センサＳが含まれるようにしてもよい。
【００４４】
部品照合部５４は、スキャナＲが読み取った部品識別マークの読み取り結果、パレット情報データ５０ａに含まれる部品Ｄの情報に基づいて、トレイに格納された部品Ｄを特定する。作業者ＯＰは、部品切れのパレット２４に対してトレイ交換作業を行う際に、交換するトレイ７の部品識別マークをスキャナＲで読み取って、そのトレイ７に格納される部品Ｄを特定する。すなわち、スキャナＲおよび部品照合部５４は、パレット載置部２７に再投入されるパレット２４に保持されたトレイ７に格納された部品Ｄを特定する部品特定手段となる。
【００４５】
再投入パレット特定部５５は、部品特定部によって特定された部品Ｄの情報、パレット情報データ５０ａに含まれるパレット２４の情報より、再投入されるパレット２４を特定する。なお、表示処理部５２は、再投入パレット特定部５５によって特定された再投入されるパレット２４の情報に基づいて、タッチパネルＴ（表示部）に表示させるスキップパレット（部品切れのパレット２４）を特定する情報を更新するようにしてもよい。
【００４６】
また、スキップ判断部５３は、再投入パレット特定部５５によって特定された再投入されるパレット２４の情報に基づいて、再投入されるパレット２４が直前にパレット載置部２７から取り出された部品切れのパレット２４とは異なる部品切れのパレット２４である場合に、直前にパレット載置部２７から取り出された部品切れのパレット２４は再投入がスキップされたと判断するようにしてもよい。
【００４７】
次に、パレット移動動作について具体的に説明する。フィーダ制御部３０が、本体制御装置１５より送信された供給指示を受けると、移動先決定部５１は、指示された部品Ｄを格納するトレイ７を保持するパレット２４をパレット収納部２３より取り出して部品取り出し位置Ｐに移動させるように決定する（図７（ａ）、図７（ｄ）参照）。また、移動先決定部５１は、実装ヘッド１０Ａによって部品Ｄが取り出されてパレット２４が保持するトレイ７が部品切れとなった際に、部品切れのパレット２４の移動先をパレット載置部２７に決定する（図７（ｂ）参照）。
【００４８】
また、移動先決定部５１は、パレット載置部２７にトレイ交換作業がされた部品切れのパレット２４が再投入されると、再投入されたパレット２４の移動先を空のパレット収納部２３に決定する。なお、移動先決定部５１は、再投入されたパレット２４が保持するトレイ７が格納する部品Ｄをトレイフィーダ５が供給する部品Ｄとして本体制御装置１５より指示されている場合は、再投入されたパレット２４の移動先を部品取り出し位置Ｐに決定するようにしてもよい。
【００４９】
上記のように、トレイフィーダ５は、複数のパレット収納部２３と、パレット載置部２７と、パレット移動部２９と、パレット載置部２７に移動された部品切れのパレット２４が保持するトレイ７が交換されることなく他の部品切れのパレット２４がパレット載置部２７に移動可能な状態となったことを認識するスキップ認識手段とを備える部品供給装置となる。これによって、一の部品切れのパレット２４がパレット載置部２７に移動された後に、トレイ７を交換してパレット載置部に再投入する優先順位がより高い他の部品切れのパレット２４が発生した場合でも、一の部品切れのパレット２４の再投入をスキップして、他の部品切れのパレット２４を優先して再投入することができ、部品切れのトレイ７を効率良く交換することができる。
【００５０】
なお、移動先決定部５１、表示処理部５２、スキップ判断部５３、部品照合部５４、再投入パレット特定部５５を部品実装装置１の本体制御装置１５が備え、タッチパネルＴの入力部と表示部としての機能を部品実装装置１の入力部４２と表示部４３が実行するようにしてもよい。すなわち、部品実装装置１は、パレット載置部２７と、パレット移動部２９と、パレット載置部２７に移動された部品切れのパレット２４が保持するトレイ７が交換されることなく他の部品切れのパレット２４がパレット載置部２７に移動可能な状態となったことを認識するスキップ認識手段とを備えるようにしてもよい。
【００５１】
次に図５、図６のフローに沿って、図７〜図９を参照しながら、部品実装装置１によって基板３に部品Ｄを実装する実装基板の製造方法について説明する。部品実装装置１では、トレイフィーダ５およびテープフィーダ６が供給する部品Ｄを基板３に実装して実装基板が製造される。以下では、トレイフィーダ５が装着された部品実装装置１において、実装ヘッド１０Ａによってパレット２４が保持するトレイ７より部品Ｄを取り出して基板３に実装する実装基板の製造方法について説明する。
【００５２】
図５において、まず、部品実装装置１の基板搬送機構２は、上流側の装置から搬入された基板３を作業位置に搬送して位置決め保持する（ＳＴ１：基板搬入工程）。次いで移動先決定部５１は、本体制御装置１５より指示された部品種の部品Ｄを格納するトレイ７を保持するパレット２４を部品取り出し位置Ｐに移動させるように決定する。そして、フィーダ制御部３０は、決定されたパレット２４を部品取り出し位置Ｐに移動するようにパレット移動部２９を制御する（ＳＴ２：部品取り出し位置移動工程）。すなわち、パレット２４を各々収納する複数のパレット収納部２３に格納されたパレット２４が部品取り出し位置Ｐに移動する。
【００５３】
図７（ａ）では、トレイフィーダ５は、本体制御装置１５より部品Ｄ（１）を供給するように指示されている。そこで、パレット移動部２９は、パレット収納部２３（１）より部品Ｄ（１）を格納するトレイ７（１）を保持するパレット２４（１）をパレット保持部２５によって取り出して部品取り出し位置Ｐに移動させている。パレット２４（１）の部品取り出し位置Ｐへの移動が完了すると、フィーダ制御部３０は、本体制御装置１５に準備完了報告を送信する。
【００５４】
図５において、次いで本体制御装置１５は、実装ヘッド１０Ａによって部品取り出し位置Ｐに移動されたパレット２４（１）が保持するトレイ７（１）より部品Ｄ（１）を取り出させる（ＳＴ３：部品取り出し工程）（図７（ａ）参照）。次いで本体制御装置１５は、実装ヘッド１０Ａを作業位置に位置決め保持されている基板３の部品実装点に移動させて、実装ヘッド１０Ａが取り出して保持していた部品Ｄ（１）を基板３に実装させる（ＳＴ４：部品実装工程）。
【００５５】
次いで移動先決定部５１は、部品取り出し位置Ｐにあるトレイ７（１）が部品切れになったか否かを判断する（ＳＴ５：部品切れ判断工程）。部品切れになっていないと判断されると（ＳＴ５においてＮｏ）、本体制御装置１５は、基板３に予定された全ての部品Ｄが実装されたか否かを判断する（ＳＴ６：実装完了判断工程）。全ての部品Ｄが実装された場合（ＳＴ６においてＹｅｓ）、基板搬入工程（ＳＴ１）に戻って、全ての部品Ｄが実装された実装基板が部品実装装置１より搬出され、次に部品実装対象となる基板３が搬入される。未実装の部品Ｄがある場合（ＳＴ６においてＮｏ）、部品取り出し位置移動工程（ＳＴ２）に戻って次の部品Ｄの実装が実行される。
【００５６】
部品切れ判断工程（ＳＴ５）においてトレイ７（１）が部品切れになったと判断されると（Ｙｅｓ）、部品切れパレット処理（ＳＴ７）が実行される。図７（ａ）では、部品取り出し位置Ｐにあるトレイ７（１）が部品切れとなったため、次いで部品切れパレット処理（ＳＴ７）が実行される。部品切れパレット処理（ＳＴ７）が実行されている間は、トレイフィーダ５は受付中断状態となる。
【００５７】
図６において、部品切れパレット処理（ＳＴ７）では、まず移動先決定部５１は、パレット２４（１）の移動先をパレット載置部２７に決定する。そして、パレット移動部２９（パレット保持部２５）は、部品切れのパレット２４（１）をパレット載置部２７に移動させる（ＳＴ１１：部品切れパレット移動工程）。すなわち、部品切れとなったトレイ７（１）＊を保持する部品切れのパレット２４（１）をパレット載置部２７に移動させる。図７（ｂ）において、パレット移動部２９は、パレット２４（１）を保持するパレット保持部２５をパレット載置部２７の高さ位置まで上昇させて（矢印ｅ）、パレット２４（１）をパレット載置部２７に移動させる（矢印ｆ）。
【００５８】
次いで作業者ＯＰは、パレット載置部２７から部品切れのパレット２４（１）を取り出す（ＳＴ１２：パレット取出し工程）。図７（ｃ）において、作業者ＯＰは、開閉カバー２８を開けて（矢印ｇ）、パレット載置部２７から部品切れのトレイ７（１）＊を保持するパレット２４（１）を引き出して取り出す（矢印ｈ）。この時、パレット検出センサＳによってパレット載置部２７からパレット２４（１）が取り出されたことが検出される。すなわち、パレット検出センサＳから送信される検出信号が有から無に変化すると、スキップ判断部５３は、パレット２４（１）が取り出されたと判断する。
【００５９】
図６において、次いでスキップ判断部５３は、部品切れのパレット２４（１）がトレイ交換作業されずにスキップされたか否かを判断する（ＳＴ１３：スキップ判断工程）。図７（ｃ）において、作業者ＯＰは、パレット載置部２７から取り出したパレット２４（１）をスキップパレットにすると判断すると、スキップボタンＱを操作するスキップ報告を実行する。これによって、スキップボタンＱからスキップ報告信号が送信され、スキップ判断部５３は、部品切れのパレット２４（１）の再投入がスキップされた（ＳＴ１３においてＹｅｓ）と判断（認識）する。
【００６０】
このように、スキップ判断工程（ＳＴ１３）は、スキップボタンＱ（ボタン）が操作されると、パレット載置部２７に移動された部品切れのパレット２４（１）が保持する部品切れのトレイ７（１）＊が交換されることなく他の部品切れのパレット２４がパレット載置部２７に移動可能な状態となった（部品切れのパレット２４（１）の再投入がスキップされた）と認識するスキップ認識工程となる。
【００６１】
なお、作業者ＯＰは、スキップボタンＱを操作してスキップ報告した後に、部品切れのパレット２４（１）をパレット載置部２７から取り出すようにしてもよい。その場合、スキップ判断部５３は、スキップ報告信号が受信された後、パレット検出センサＳによってパレット２４（１）がパレット載置部２７から取り出されたことが検出されると、パレット２４（１）の再投入がスキップされたと判断する。すなわち、スキップ認識工程では、スキップボタンＱ（ボタン）が操作された後、パレット検出センサＳによってパレット載置部２７より部品切れのパレット２４（１）が取り出されたことが検出されると、他の部品切れのパレット２４がパレット載置部２７に移動可能な状態となった（スキップされた）と認識される。
【００６２】
図６において、スキップ判断工程（ＳＴ１３）においてパレット２４（１）の再投入がスキップされたと判断されると（Ｙｅｓ）、次いで表示処理部５２は、パレット２４（１）をスキップパレットとしてタッチパネルＴ（表示部）に表示させる（ＳＴ１４：スキップパレット表示工程）。すなわち、パレット載置部２７より取り出されたパレット２４であって、パレット載置部２７に再投入される前に他の部品切れのパレット２４がパレット載置部２７に移動可能な状態となったスキップパレット（部品切れのパレット２４（１））を特定する情報をタッチパネルＴ（表示部）に表示する。
【００６３】
図８（ａ）に、図７（ｃ）に示す部品切れのパレット２４（１）がスキップされた状態において、タッチパネルＴ（表示部４３）の画面６１に表示される画面表示の例を示す。画面６１には、タイトル欄６２、スキップパレット欄６３（１）、補給ボタン欄６４が表示されている。タイトル欄６２には、画面表示の内容を示す「スキップパレット」が表示されている。スキップパレット欄６３（１）には、スキップされた部品切れのパレット２４（１）が供給していた部品Ｄ（１）の情報を示す「ＡＡＡ（１）」が表示されている。補給ボタン欄６４は、トレイ交換作業が完了したパレット２４がパレット載置部２７に再投入された際に、作業者ＯＰが操作するボタンが表示されている。
【００６４】
図６において、スキップパレット表示工程（ＳＴ１４）が終了すると、部品切れパレット処理（ＳＴ７）が終了してトレイフィーダ５は指示待ち状態となる。そして、図５において、実装完了判断工程（ＳＴ６）が実行される。
【００６５】
図７（ｄ）において、トレイフィーダ５は、パレット２４（１）が取り出されて再投入がスキップされている状態で、本体制御装置１５より部品Ｄ（１）を供給するように指示されている。トレイフィーダ５には、部品Ｄ（１）を格納するトレイ７（２），７（３）を保持するパレット２４（２），２４（３）が、それぞれパレット収納部２３（２），２３（３）に収納されている（図７（ａ）参照）。
【００６６】
そこで、移動先決定部５１は、パレット２４（２）を部品取り出し位置Ｐに移動するように決定する。そして、パレット移動部２９は、パレット収納部２３（２）よりパレット２４（２）をパレット保持部２５によって取り出して部品取り出し位置Ｐに移動させている（矢印ｉ）。パレット２４（２）の部品取り出し位置Ｐへの移動が完了すると、フィーダ制御部３０は、本体制御装置１５に準備完了報告を送信する。
【００６７】
このように、スキップパレットがあっても、スキップパレット（部品切れのパレット２４（１））が保持するパレット７（１）が格納していた部品Ｄ（１）と同種の部品Ｄ（１）を格納するトレイ７（２），７（３）を保持するパレット２４（２），２４（３）がある場合は、部品実装装置１による部品Ｄ（１）の部品実装作業を継続することができる。
【００６８】
図６において、スキップ判断工程（ＳＴ１３）においてパレット２４（１）の再投入がスキップされたと判断されずに（Ｎｏ）、部品切れのパレット２４に対するトレイ交換作業が実行されると、作業者ＯＰは、スキャナＲによって交換するトレイ７の部品識別マークを読み取って補給する部品Ｄを照合する（ＳＴ１５：部品照合工程）。次いで部品照合部５４は、照合結果より、パレット載置部２７に再投入されるパレット２４に保持されたトレイ７に格納された部品Ｄを特定する（ＳＴ１６：部品特定工程）。次いで再投入パレット特定部５５は、特定された部品Ｄの情報より、再投入されるパレット２４を特定する（ＳＴ１７：再投入パレット特定工程）。
【００６９】
次いでスキップ判断部５３は、再投入されるパレット２４が直前にパレット載置部２７から取り出された部品切れのパレット２４と同じか否かを判断する（ＳＴ１８：再投入パレット判断工程）。再投入されるパレット２４が直前にパレット載置部２７から取り出された部品切れのパレット２４とは異なる場合（ＳＴ１８においてＮｏ）、スキップ判断部５３は、直前にパレット載置部２７から取り出された部品切れのパレット２４の再投入がスキップされたと判断する。
【００７０】
このように、再投入パレット判断工程（ＳＴ１８）は、再投入パレット特定工程（ＳＴ１７）において特定された再投入されるパレット２４の情報に基づいて、再投入されるパレット２４が、直前にパレット載置部２７から取り出された部品切れのパレット２４とは異なる場合に、直前にパレット載置部２７から取り出された部品切れのパレット２４の再投入がスキップされたと認識するスキップ認識工程となる。
【００７１】
次いで表示処理部５２は、直前にパレット載置部２７から取り出された部品切れのパレット２４をスキップパレットとし、また、特定されたパレット２４が再投入されるとしてタッチパネルＴ（表示部）の表示を更新させる（ＳＴ１９：スキップパレット更新工程）。すなわち、再投入パレット特定工程（ＳＴ１７）において特定された再投入されるパレット２４の情報に基づいて、タッチパネルＴ（表示部）に表示される前記部品切れのパレットを特定する情報が更新される。
【００７２】
図６において、次いで移動先決定部５１は、パレット載置部２７に再投入されたパレット２４の移動先を、空いているパレット収納部２３に決定する。そして、パレット移動部２９は、パレット載置部２７に再投入されたパレット２４を空のパレット収納部２３に移動させる（ＳＴ２０：再投入パレット移動工程）。再投入されるパレット２４が直前にパレット載置部２７から取り出された部品切れのパレット２４と同じ場合（ＳＴ１８においてＹｅｓ）、スキップ判断部５３は、直前にパレット載置部２７から取り出された部品切れのパレット２４の再投入がスキップされていないと判断する。そして、スキップパレット更新工程（ＳＴ１９）を実行することなく、再投入パレット移動工程（ＳＴ２０）が実行される。
【００７３】
図６において、再投入パレット移動工程（ＳＴ２０）が終了すると、部品切れパレット処理（ＳＴ７）が終了してトレイフィーダ５は指示待ち状態となる。そして、図５において、実装完了判断工程（ＳＴ６）が実行される。
【００７４】
図９（ａ）において、トレイフィーダ５は、パレット収納部２３（１），２３（２）に収納されていた部品Ｄ（１）を格納するトレイ７（１），７（２）を保持するパレット２４（１），２４（２）（図７（ａ）参照）が、パレット載置部２７から取り出されて、再投入がスキップされている。さらに、パレット収納部２３（６）に収納されていた部品Ｄ（２）を格納するトレイ７（６）を保持するパレット２４（６）（図７（ｄ）参照）が、パレット載置部２７から取り出されている（矢印ｊ）。この時点では、スキップボタンＱは操作されていない（スキップ報告がされていない）とする（ＳＴ１３においてＮｏ）。
【００７５】
図８（ｂ）に、図９（ａ）に示す状態において、タッチパネルＴ（表示部４３）の画面６１に表示される画面表示の例を示す。画面６１には、スキップされたパレット２４（１）およびパレット２４（２）に対応するスキップパレット欄６３（１）、スキップパレット欄６３（２）が表示されている。スキップパレット欄６３（１）には、パレット２４（１）を特定する情報を示す「ＡＡＡ（１）」が表示され、スキップパレット欄６３（２）には、パレット２４（２）を特定する情報を示す「ＡＡＡ（２）」が表示されている。
【００７６】
図９（ｂ）において、トレイ交換作業によって部品切れのトレイ７（１）＊が部品Ｄ（１）を格納するトレイ７（８）と交換されたパレット２４（１）に対して、スキャナＲによって部品識別マークが読み取られている（ＳＴ１５）。これによって、トレイ７（８）を保持して再投入されるパレットがパレット２４（１）と特定される（ＳＴ１６，ＳＴ１７）。図８（ｃ）に、図９（ｂ）に示す状態において、タッチパネルＴ（表示部４３）の画面６１に表示される画面表示の例を示す。画面６１では、特定されたパレット２４（１）を示すスキップパレット欄６３（１）が強調表示（図中はハッチング）されている。
【００７７】
なお、タッチパネルＴ（入力部）は、作業者ＯＰがスキップパレット欄６３（１）を操作することで、再投入するパレットとしてパレット２４（１）を選択入力（特定）することもできる。すなわち、部品照合工程（ＳＴ１５）、部品特定工程（ＳＴ１６）、再投入パレット特定工程（ＳＴ１７）に代わり、作業者ＯＰがタッチパネルＴ（入力部）より再投入するパレット２４（１）を選択入力することで（再投入パレット選択入力工程）、再投入されるパレット２４（１）を特定することもできる。
【００７８】
図９（ｂ）において、スキャナＲによる部品照合の後、作業者ＯＰは、パレット２４（１）をパレット載置部２７に再投入する（矢印ｋ）。図９（ｃ）において、次いで作業者ＯＰは、開閉カバー２８を閉じる（矢印ｍ）。開閉カバー２８の開状態または閉状態を検出するセンサ（図示省略）が、開閉カバー２８が閉じられたことを検出した後、パレット検出センサＳによってパレット２４（１）がパレット載置部２７にあることが検出されると、パレット２４（１）の再投入が確定する（ＳＴ１８）。
【００７９】
この例では、再投入されたパレット２４（１）が直前にパレット載置部２７から取り出された部品切れのパレット２４（６）とは異なるため（ＳＴ１８においてＮｏ）、再投入されたパレット２４（１）はスキップパレットから削除され、直前にパレット載置部２７から取り出された部品切れのパレット２４（６）がスキップパレットとなる。図８（ｄ）に、図９（ｃ）に示す状態において、タッチパネルＴ（表示部４３）の画面６１に表示される画面表示の例を示す。画面６１では、再投入されたパレット２４（１）を示すスキップパレット欄６３（１）が削除され、直前にパレット載置部２７から取り出された部品切れのパレット２４（６）を特定する情報「ＢＢＢ（１）」が表示されたスキップパレット欄６３（３）が追加されている。
【００８０】
図９（ｃ）において、スキップパレット欄６３（２）が示すスキップされたパレット２４（２）が供給する部品Ｄ（１）は、再投入されたパレット２４（１）とパレット収納部２３（３）に収納されているパレット２４（３）が保持するパレット７（８），７（３）に格納されている。一方、直前にパレット載置部２７から取り出された部品切れのパレット２４（６）が供給していた部品Ｄ（２）を格納するトレイ７を保持するパレット２４は、トレイフィーダ５には収納されていない。そのため、直前にパレット載置部２７から取り出された部品切れのパレット２４（６）の方が、再投入がスキップされているパレット２４（２）よりも再投入する優先順位が高い。
【００８１】
そこで、図８（ｄ）に示す画面６１では、直前にパレット載置部２７から取り出された部品切れのパレット２４（６）を示すスキップパレット欄６３（３）が、再投入がスキップされているパレット２４（２）を示すスキップパレット欄６３（２）よりも上位に表示されている。すなわち、スキップパレット更新工程（ＳＴ１９）、または、スキップパレット表示工程（ＳＴ１４）では、スキップパレット（パレット２４（２）、パレット２４（６））がパレット載置部２７に再投入される優先順位により並び替えられてタッチパネルＴ（表示部）に表示される。
【００８２】
図９（ｄ）において、移動先決定部５１は、パレット載置部２７に再投入されたパレット２４（１）をパレット収納部２３（１）に移動させるように決定している。そこで、パレット移動部２９は、パレット保持部２５によって再投入されたパレット２４（１）をパレット載置部２７から取出し、パレット保持部２５をパレット収納部２３（１）の高さ位置に下降させ（矢印ｎ）、パレット２４（１）をパレット収納部２３（１）に移動させている（矢印ｐ）。
【００８３】
上記説明したように、スキップ判断工程（ＳＴ１３）および再投入パレット判断工程（ＳＴ１８）は、パレット載置部２７に移動された部品切れのパレット２４が保持するトレイ７が交換されることなく他の部品切れのパレット２４がパレット載置部２７に移動可能な状態となったことを認識するスキップ認識工程となる。そして、実装基板の製造方法は、部品取り出し位置移動工程（ＳＴ２）と、部品取出し工程（ＳＴ３）と、部品実装工程（ＳＴ４）と、部品切れパレット移動工程（ＳＴ１１）と、スキップ認識工程とを含んでいる。これによって、作業者ＯＰがトレイ交換作業の優先順位が高いパレット２４を選択してパレット載置部２７に再投入することができ、部品切れのトレイ７を効率良く交換することができる。
【００８４】
また、複数のパレット収納部２３と、パレット載置部２７とを備えるトレイフィーダ５（部品供給装置）における部品供給方法は、部品切れパレット移動工程（ＳＴ１１）と、スキップ認識工程とを含んでいる。これによって、作業者ＯＰがトレイ交換作業の優先順位が高いパレット２４を選択してパレット載置部２７に再投入することができ、部品切れのトレイ７を効率良く交換することができる。
【産業上の利用可能性】
【００８５】
本発明の部品供給装置、部品実装装置、部品供給方法および実装基板の製造方法は、部品切れのトレイを効率良く交換することができるという効果を有し、部品を基板に実装する分野において有用である。
【符号の説明】
【００８６】
１  部品実装装置
３  基板
５  トレイフィーダ（部品供給装置）
７  トレイ
１０Ａ  実装ヘッド
２３  パレット収納部
２４  パレット
２７  パレット載置部
４３  表示部
Ｄ  部品
ＯＰ  作業者
Ｐ  部品取り出し位置
Ｑ  スキップボタン（ボタン）
Ｒ  スキャナ（部品特定手段）
Ｓ  パレット検出センサ
Ｔ  タッチパネル（表示部）
【図１】
2018133401.tif 000003
【図２】
2018133401.tif 000004
【図３】
2018133401.tif 000005
【図４】
2018133401.tif 000006
【図５】
2018133401.tif 000007
【図６】
2018133401.tif 000008
【図７】
2018133401.tif 000009
【図８】
2018133401.tif 000010
【図９】
2018133401.tif 000011